(57)【要約】      （修正有）【課題】プリザーブド加工を施した花により創作される仏花に豪華さとボリューム感を持たせたプリザーブドフラワーからなる仏花を提供する。【解決手段】菊を主体とした芯花の後方に、その他の花、木、葉等からなる後添えを配設し、芯花の前方根元側には、芯花に対応した、即ち芯花を引立たせる花、葉等による前添えを配設することを特徴とするプリザーブドフラワーからなる仏花である。【選択図】図１
0003150447.tif 000002
【実用新案登録請求の範囲】
【請求項１】
ブリザーブド加工を施した花にて創作する仏前、墓前等に供える仏花において、菊を主体とし、その他の花等を加えて創作された芯花の後方に、檜葉等の後添えを配設し、芯花の前側根元部には、当該芯花に対応した花葉等からなる前添えを配設してなるブリザーブドフラワーからなる仏花。
【請求項２】
前記後添えをブリザーブド加工を施したシキミとしてなる請求項１のブリザーブドフラワーからなる仏花。
【考案の詳細な説明】
【技術分野】
【０００１】  本考案は、仏前或いは墓前に供える仏花の改良に関するものである。
【背景技術】
【０００２】  近年、生花を脱水し、染料に浸漬、そして排水・乾燥の４工程で作られるブリザーブドフラワーというのが知られている。このブリザーブドフラワーは、花が見ごろを迎えた時期に摘みとって樹液を抜き、オーガニック系の染料に浸して染色する。その後排水し、乾燥すれば完成するのであるが、プリザーブドフラワーの特徴は、この複雑な工程によって作られる鮮やかな花色と自然な風合い。カラーバリエーションが豊かで、色あせることもなく、また、ドライフラワーと同様に生花から作られるので花姿もナチュラルであり、グリセリン成分を使用しているため花弁のやわらかさも保てるのである。【０００３】  また、従来より仏前或いは墓前には菊、小菊等を主体とした仏花が供えられている。しかし、この生花は、冬季はともかく夏季においては直ぐに枯れてしまうという問題があった。【０００４】  このような問題を解決せんとして、特に室内の仏前に備える仏花として、ブリザーブド加工を施した菊等を主体とした仏花が創作されている。しかし、仏花もある程度の豪華さを求められるものであり、ブリザーブド加工を施した花は生花に比して高価であることから、当該花だけで豪華さ、ボリューム感のある仏花とするには問題があった。
【考案の開示】
【考案が解決しようとする課題】
【０００５】  解決しようとする問題点は、ブリザーブド加工を施した花により創作される仏花に豪華さとボリューム感を持たせること、これが考案が解決しようとする課題である。
【課題を解決するための手段】
【０００６】  本考案は、菊を主体とした芯花の後方に、その他の花、木、葉等からなる後添えを配設し、芯花の前方根元側には、芯花に対応した、即ち芯花を引立たせる花、葉等による前添えを配設すること、これが課題を解決するための手段である。
【考案の効果】
【０００７】  本考案は、ブリザーブド加工を施した花にて創作する仏前、墓前等に供える仏花において、菊を主体とし、その他の花等を加えて創作される芯花の後方に、檜葉等の後添えを配設し、芯花の前側根元部には、当該芯花に対応した花葉等からなる前添えを配設してなるブリザーブドフラワーからなる仏花であり、更には、前記後添えをブリザーブド加工を施したシキミとしてなるブリザーブドフラワーからなる仏花であるから、従来は仏花もある程度の豪華さを求められるものであり、ブリザーブド加工を施した花は生花に比して高価であることから、当該花だけで豪華さ、ボリューム感のある仏花とするには問題があったが、本考案においては、芯花の後方に檜葉等の後添えを配設しているので、芯花が冴える効果があり、また奥行きも広がって豪華に見える。其の上、当該後添えをブリザーブド加工を施したシキミとすれば、シキミは元々仏前或いは墓前には欠かせない木葉であることから、仏花としての意義は極めて高いものとなる。また芯花の前側根元部には、当該芯花に対応した、即ち、芯花を引立て得る花葉等からなる前添えを配設しているので、ボリューム感が得られ、全体として豪華にしかもボリューム感に溢れた仏花と摺ることが出来る等、極めて顕著なる実用的効果を有するものである。
【考案を実施するための最良の形態】
【０００８】  ブリザーブド加工を施した花にて創作する仏前、墓前等に供える仏花において、菊を主体とし、その他の花等を加えて創作される芯花の後方に、檜葉等の後添えを配設し、芯花の前側根元部には、当該芯花に対応した花葉等からなる前添えを配設してなるブリザーブドフラワーからなる仏花であり、更には、前記後添えをブリザーブド加工を施したシキミとしてなる請求項１のブリザーブドフラワーからなる仏花を呈せんとするものである。
【実施例１】
【０００９】  仏花１は芯花２、後添え３、前添え４により構成されている。【００１０】  芯花２は、本考案実施例においては、菊を主体としてカーネーション、ピンポンマム、オオデマリ等により構成されている。【００１１】  後添え３は、檜葉或いはシキミ等、芯花２を引立てるべく、当該芯花２の後方に添えられるものである。【００１２】  前添え４は、本考案実施例においてはアジサイ、ライスフラワー等を用いている。当該前添え４は芯花２にボリューム感を持たせるために芯花２の前側根元部分に配するものである。
【産業上の利用可能性】
【００１３】  ブリザーブド加工を施した花にて創作する仏前、墓前等に供える仏花において、菊を主体とし、その他の花等を加えて創作される芯花の後方に、檜葉等の後添えを配設し、芯花の前側根元部には、当該芯花に対応した花葉等からなる前添えを配設してなるブリザーブドフラワーからなる仏花であり、更には、前記後添えをブリザーブド加工を施したシキミとしてなるブリザーブドフラワーからなる仏花であるから、従来は仏花もある程度の豪華さを求められるものであり、ブリザーブド加工を施した花は生花に比して高価であることから、当該花だけで豪華さ、ボリューム感のある仏花とするには問題があったが、本考案においては、芯花の後方に檜葉等の後添えを配設しているので、芯花が冴える効果があり、また奥行きも広がって豪華に見える。其の上、当該後添えをブリザーブド加工を施したシキミとすれば、シキミは元々仏前或いは墓前には欠かせない木葉であることから、仏花としての意義は極めて高いものとなる。また芯花の前側根元部には、当該芯花に対応した、即ち、芯花を引立て得る花葉等からなる前添えを配設しているので、ボリューム感が得られ、全体として豪華にしかもボリューム感に溢れた仏花と摺ることが出来る等、極めて顕著なる実用的効果を有するばかりでなく、当該仏花を商う生花店或いは仏壇、仏具店等においても新たなる価値観の高い商品として販売することが出来る等、産業上での利用可能性は極めて大きいものがある。
【図面の簡単な説明】
【００１４】
【図１】  仏花完成品の正面図
【図２】  芯花の正面図
【図３】  後添えの正面図
【図４】  前添えの正面図
【図５】  芯花に前添えを配した状態の正面図
【図６】  後添えとしてシキミを配した仏花の正面図
【符号の説明】
【００１５】  １  仏花
２  芯花
３  後添え
４  前添え
【図１】
0003150447.tif 000003
【図２】
0003150447.tif 000004
【図３】
0003150447.tif 000005
【図４】
0003150447.tif 000006
【図５】
0003150447.tif 000007
【図６】
0003150447.tif 000008